(57)【要約】【課題】電力機器を開閉動作させる駆動回路の閉極側過電圧抑制回路のスイッチ素子が開放故障している場合であっても、保護用スイッチ素子の遮断動作を停止させ、安全に閉極動作を終了させることができる電磁操作機構の駆動回路を提供することを目的としている。【解決手段】可動鉄心１と、可動鉄心１を駆動する閉極駆動用コイル２と、閉極駆動用コイル２に電力を供給する閉極用コンデンサ４と、閉極駆動用コイル２への電力の供給を制御する閉極駆動用スイッチ素子５と、閉極駆動用スイッチ素子５と閉極駆動用コイル２との間に設けられた保護用リレー７と、閉極駆動用スイッチ素子５と並列に接続されるとともに閉極側ループ回路１０に閉極側ループ回路スイッチ素子６が直列接続された閉極側過電圧抑制回路と、閉極側ループ回路スイッチ素子６の電圧を検出する閉極側電圧検出回路１３とで、構成されている。【選択図】図１
2016225101.tif 000002
【特許請求の範囲】
【請求項１】
開閉動作させる電力機器に連結された可動鉄心と、
前記可動鉄心を駆動する閉極駆動用コイル及び開極駆動用コイルと、
前記閉極駆動用コイルに接続され、電力を供給する閉極用コンデンサと、
前記閉極用コンデンサから前記閉極駆動用コイルへの電力の供給を制御する閉極駆動用スイッチ素子と、
前記閉極駆動用スイッチ素子と前記閉極駆動用コイルとの間に設けられ、前記開極駆動用コイルが励磁され前記閉極駆動用コイルに誘導起電力が発生する場合に開路される保護用スイッチ素子と、
電流減衰用コンデンサと電流減衰用抵抗とが直列接続され、これらに放電抵抗が並列接続されたループ回路に閉極側ループ回路スイッチ素子が直列接続された閉極側過電圧抑制回路と、
前記閉極側過電圧抑制回路が前記閉極駆動用スイッチ素子に対して並列に接続されるとともに、前記閉極側ループ回路スイッチ素子の電圧を検出する閉極側電圧検出回路とを備え、
前記閉極側電圧検出回路で検出された電圧により、前記閉極側ループ回路スイッチ素子及び前記閉極駆動用スイッチ素子の開閉状態を判定することを特徴とする電磁操作機構の駆動回路。
【請求項２】
前記閉極側ループ回路スイッチ素子及び前記閉極駆動用スイッチ素子を閉路することができない場合に前記保護用スイッチ素子を開路させないようにしたことを特徴とする請求項１に記載の電磁操作機構の駆動回路。
【請求項３】
前記保護用スイッチ素子と並列に抵抗が接続されていることを特徴とする請求項１または請求項２に記載の電磁操作機構の駆動回路。
【請求項４】
前記開極駆動用コイルに接続され、電力を供給する開極用コンデンサと、
前記開極用コンデンサから前記開極駆動用コイルへの電力の供給を制御する開極駆動用スイッチ素子と、
電流減衰用コンデンサと電流減衰用抵抗とが直列接続され、これらに放電抵抗が並列接続されたループ回路に開極側ループ回路スイッチ素子が直列接続された開極側過電圧抑制回路と、
前記開極側過電圧抑制回路が前記開極駆動用スイッチ素子に対して並列に接続されるとともに、前記開極側ループ回路スイッチ素子の電圧を検出する開極側電圧検出回路とを備え、
前記開極側電圧検出回路で検出された電圧により、前記開極側ループ回路スイッチ素子の開閉状態を判定することを特徴とする請求項１から請求項３のいずれか１項に記載の電磁操作機構の駆動回路。
【請求項５】
前記開極駆動用スイッチ素子の電圧を検出する開極駆動用スイッチ素子電圧検出回路を備え、前記開極駆動用スイッチ素子電圧検出回路で検出された電圧により、前記開極駆動用スイッチ素子の開閉状態を判定することを特徴とする請求項４に記載の電磁操作機構の駆動回路。
【発明の詳細な説明】
【技術分野】
【０００１】
本発明は、例えば、電力機器の開閉操作を行う電磁操作機構の駆動回路において、保護回路を有する電磁操作機構の駆動回路に関するものである。
【背景技術】
【０００２】
従来、電力機器、例えば、真空遮断器の真空バルブの開閉操作を行う電磁操作機構の駆動回路では、１つの可動鉄心に対し、閉極用と開極用の２つの駆動コイルを有する場合、一方の駆動コイルへ電流を流した際に、誘導起電力によって、電流を流していない他方の駆動コイルの両端に電圧が発生する。発生する電圧は両駆動コイルの巻数比に比例するため、例えば、開極駆動用コイルの巻数が１００ターン、閉極駆動用コイルの巻数が５００ターンの場合に、開極駆動用コイルに１００Ｖの電圧を印加したとすると、巻数比に比例した５００Ｖの電圧が閉極駆動用コイルの両端に発生する。従って、両駆動コイルの巻数比が大きい場合、電流を流していない駆動コイルに発生する電圧が、駆動制御用のスイッチ素子の耐圧を超過してしまう可能性があり、駆動制御用のスイッチ素子の保護対策が必要となる。
【０００３】
電磁操作機構の駆動回路において、誘導起電力による閉極駆動用コイル両端に発生する高電圧が、駆動制御用スイッチ素子の耐圧を超える場合の保護対策として、例えば、特許文献１の電磁操作機構の駆動回路では、直流電源となる閉極用コンデンサに閉極駆動用スイッチ素子を介して閉極駆動用コイルが接続され、抵抗とスイッチ素子とが直列接続された閉極側過電圧抑制手段が閉極駆動用コイルに並列に接続され、閉極駆動用コイルと閉極駆動用スイッチ素子との間に保護用スイッチ素子が設けられた閉極用駆動回路と、直流電源となる開極用コンデンサに開極駆動用スイッチ素子を介して開極駆動用コイルが接続され、抵抗とスイッチ素子とが直列接続された開極側過電圧抑制手段が開極駆動用コイルに並列に接続された開極用駆動回路と、開極駆動用スイッチ素子に並列でかつ開極駆動用コイルに直列に設けられた電圧検出回路と、を備えており、開極駆動用コイルが励磁されて閉極駆動用コイル側に誘導起電力が発生する場合には、保護用スイッチ素子が開路されるように構成されている。
【０００４】
閉極動作は、まず保護用スイッチ素子が閉路となる。次いで、閉極駆動用スイッチ素子が閉路となることで、閉極用コンデンサから閉極駆動用コイルに電流が流れる。閉極駆動用スイッチ素子が閉路となった直後、閉極側過電圧抑制手段のスイッチ素子が閉路となる。閉極動作完了後、閉極駆動用スイッチ素子が開路となる。電圧検出回路の電圧は、閉極駆動用スイッチ素子が開路となったタイミングで閉極用コンデンサの両端に近い値となる。しかし、閉極駆動用スイッチ素子を開路とすることができずに閉路状態のままとなっていた場合、電圧検出回路の電圧は零に近い値となる。閉極駆動用スイッチ素子が開路となるはずのタイミングで電圧検出回路の電圧が零に近かった場合、閉極駆動用スイッチ素子は短絡故障していると判定され、保護用スイッチ素子は閉路のままとなる。このため、閉極駆動用コンデンサに蓄えられていたエネルギーは零となるまで消費される。閉極用コンデンサに蓄えられていたエネルギーが零に近い値となることで、閉極駆動用コイルに流れていた電流も零に近くなり、駆動時の電流を遮断する能力を有していない保護用スイッチ素子においても遮断することが可能となる。
【先行技術文献】
【特許文献】
【０００５】
【特許文献１】特開２０１３−１０９９９７号公報
【発明の概要】
【発明が解決しようとする課題】
【０００６】
従来の電磁操作機構の駆動回路においては、電圧検出回路が、閉極駆動用スイッチ素子の短絡故障状態を判定することで、保護用スイッチ素子により駆動時の電流の遮断を行わないように制御することができる。しかしながら、閉極動作時に、閉極側過電圧抑制回路のスイッチ素子が開放故障している場合と、開放故障していない場合とで、電圧検出回路により検出される電圧に差が生じないため、閉極側過電圧抑制回路のスイッチ素子の故障を検出することができない。従って、閉極側過電圧抑制回路のスイッチ素子が開放故障である場合には、過大な電圧が印加された状態で、保護用スイッチ素子により電流を遮断することになるため保護用スイッチ素子を損傷させる等の不具合が発生する可能性がある。そのため、閉極側過電圧抑制回路のスイッチ素子が故障していることを事前に検出し、保護用スイッチ素子の遮断動作を停止させ、保護する必要があるという課題があった。
【０００７】
本発明は、上記のような課題を解決するためになされたものであり、電力機器を開閉動作させる電磁操作機構の駆動回路の閉極側過電圧抑制回路のスイッチ素子が開放故障している場合であっても、保護用スイッチ素子の遮断動作を停止させ、安全に閉極動作を終了させることができる電磁操作機構の駆動回路を提供することを目的としている。
【課題を解決するための手段】
【０００８】
上記課題を解決するために、本発明に係る電磁操作機構の駆動回路は、開閉動作させる電力機器に連結された可動鉄心と、前記可動鉄心を駆動する閉極駆動用コイル及び開極駆動用コイルと、前記閉極駆動用コイルに接続され、電力を供給する閉極用コンデンサと、前記閉極用コンデンサから前記閉極駆動用コイルへの電力の供給を制御する閉極駆動用スイッチ素子と、前記閉極駆動用スイッチ素子と前記閉極駆動用コイルとの間に設けられ、前記開極駆動用コイルが励磁され前記閉極駆動用コイルに誘導起電力が発生する場合に開路される保護用スイッチ素子と、電流減衰用コンデンサと電流減衰用抵抗とが直列接続され、これらに放電抵抗が並列接続されたループ回路に閉極側ループ回路スイッチ素子が直列接続された閉極側過電圧抑制回路と、前記閉極側過電圧抑制回路が前記閉極駆動用スイッチ素子に対して並列に接続されるとともに、前記閉極側ループ回路スイッチ素子の電圧を検出する閉極側電圧検出回路とを備え、前記閉極側電圧検出回路で検出された電圧により、前記閉極側ループ回路スイッチ素子及び前記閉極駆動用スイッチ素子の開閉状態を判定することを特徴とするものである。
【発明の効果】
【０００９】
本発明の電磁操作機構の駆動回路によれば、閉極側過電圧抑制回路のスイッチ素子に係る電圧を検出するように構成されているので、閉極側過電圧抑制回路のスイッチ素子の開放故障を検出することができ、開極駆動用コイルが励磁されて閉極駆動用コイル側に誘導起電力が発生する場合に、閉極側過電圧抑制回路のスイッチ素子に開放故障が発生していても、保護用スイッチ素子の遮断動作を停止させることができるという効果がある。
【図面の簡単な説明】
【００１０】
【図１】実施の形態１に係る電磁操作機構の駆動回路の構成を示す回路図である。
【図２】実施の形態１における閉極動作を説明するためのタイムチャートである。
【図３】実施の形態１における開極動作を説明するためのタイムチャートである。
【図４】実施の形態２に係る電磁操作機構の駆動回路の構成を示す回路図である。
【図５】実施の形態３に係る電磁操作機構の駆動回路の構成を示す回路図である。
【発明を実施するための形態】
【００１１】
以下、本発明の実施の形態に係る電磁操作機構の駆動回路の詳細について、図１から図５を参照して説明する。ここで、電磁操作機構の駆動回路は、例えば、電力機器である真空遮断器の真空バルブを開閉操作するもので、可動鉄心の両側に配置された閉極及び開極駆動用コイルに通電することにより可動鉄心を往復運動させ、可動鉄心に連結された真空バルブの開閉接点を開閉操作するものである。
【００１２】
実施の形態１．
図１は、実施の形態１に係る電磁操作機構の駆動回路の構成を示す回路図であり、図２は、閉極動作を説明するためのタイムチャートであり、図３は、開極動作を説明するためのタイムチャートである。
【００１３】
まず、図１を用いて、実施の形態１に係る電磁操作機構の駆動回路の構成、例えば、真空遮断器の真空バルブを開閉させる場合の構成について説明する。電磁操作機構の駆動回路は、真空バルブの開閉接点を開閉させる可動鉄心１と、可動鉄心１を励磁して駆動（移動）する閉極駆動用コイル２と、閉極駆動用コイル２に電力を供給する閉極用コンデンサ４と、閉極用コンデンサ４からの電力を閉極駆動用コイル２への電力の供給を制御する閉極駆動用スイッチ素子５と、閉極駆動用スイッチ素子５と閉極駆動用コイル２との間に設けられた保護用スイッチ素子である保護用リレー７と、電流減衰用コンデンサ１０ａと電流減衰用抵抗１０ｂとが直列に接続されるとともに放電抵抗１０ｃが並列に接続された閉極側ループ回路１０及びこの閉極側ループ回路１０に閉極側ループ回路スイッチ素子６が直列接続された閉極側過電圧抑制回路と、閉極側ループ回路スイッチ素子６の電圧を検出する閉極側電圧検出回路１３とで、構成され、閉極側過電圧抑制回路は、閉極駆動用スイッチ素子５に対して並列に接続されている。また、電流の逆流を防止するために、ダイオード８とダイオード９とが、それぞれ閉極駆動用コイル２と保護用リレー７との間、保護用リレー７と閉極側ループ回路１０との間に設けられている。
【００１４】
同様に、可動鉄心１を励磁して駆動する開極駆動用コイル３と、開極駆動用コイル３に電力を供給する開極用コンデンサ１４と、開極用コンデンサ１４からの電力を開極駆動用コイル３への電力の供給を制御する開極駆動用スイッチ素子１５と、電流減衰用コンデンサ２０ａと電流減衰用抵抗２０ｂとが直列に接続されるとともに放電抵抗２０ｃが並列に接続された開極側ループ回路２０及びこの開極側ループ回路２０に開極側ループ回路スイッチ素子１６が直列接続された開極側過電圧抑制回路とで、構成され、開極側過電圧抑制回路は、開極駆動用スイッチ素子１５に対して並列に接続されている。また、電流の逆流を防止するために、ダイオード１８とダイオード１９とが、それぞれ開極駆動用コイル３と開極駆動用スイッチ素子１５との間、開極駆動用スイッチ素子１５と開極側ループ回路２０との間に設けられている。
【００１５】
次に、実施の形態１に係る電磁操作機構の駆動回路の動作について説明する。
まず、閉極動作の場合における動作について、図１に示す電磁操作機構の駆動回路及び図２に示す閉極動作のタイムチャートを参照して説明する。閉極動作では、最初に、時刻ｔ１で保護用リレー７が閉路される。次に、時刻ｔ２で閉極側ループ回路１０の閉極側ループ回路スイッチ素子６が閉路され、さらに、時刻ｔ３で閉極駆動用コイル２を駆動制御する閉極駆動用スイッチ素子５が閉路されることで、閉極用コンデンサ４から閉極駆動用コイル２、ダイオード８、保護用リレー７、閉極駆動用スイッチ素子５の経路で電流が流れる。この一連の動作により、閉極動作が実行される。閉極動作が完了した後、時刻ｔ４で閉極駆動用スイッチ素子５が開路されることで、閉極駆動用コイル２に蓄積されたエネルギーは、ダイオード８、ダイオード９、電流減衰用抵抗１０ｂを通り、電流減衰用コンデンサ１０ａにエネルギーが蓄えられ、閉極駆動用コイル２に蓄積されたエネルギーが電流減衰用コンデンサ１０ａに移行した後、時刻ｔ５で閉極側ループ回路スイッチ素子６が開路される。これにより、電流減衰用コンデンサ１０ａに蓄えられたエネルギーは、放電抵抗１０ｃと電流減衰用抵抗１０ｂとで構成された閉極側ループ回路１０によって放電され徐々に減衰する。放電完了後の時刻ｔ６で保護用リレー７が開路されることで、閉極動作が完了する。
【００１６】
ここで、保護用リレー７が閉路され、閉極側ループ回路スイッチ素子６が閉路される前（時刻ｔ２以前）に、閉極側ループ回路スイッチ素子６が開放故障した場合には、閉極側ループ回路スイッチ素子６が閉路され、閉極駆動用スイッチ素子５が閉路されるまでの間（時刻ｔ２からｔ３）、閉極側電圧検出回路１３で検出される電圧Ｖは、閉極側ループ回路スイッチ素子６が開放故障しているため閉極用コンデンサ４の電圧Ｖｃと同じとなり変化は生じない。しかし、閉極側ループ回路スイッチ素子６が開放故障していない場合には、閉極側ループ回路スイッチ素子６が閉路されることにより閉極側電圧検出回路１３で検出される電圧Ｖは、ほぼ零となる。すなわち、時刻ｔ３の時点で、閉極側ループ回路スイッチ素子６が開放故障している場合には、閉極側電圧検出回路１３の電圧Ｖは、零とならずに閉極用コンデンサ４の電圧Ｖｃと同じとなる。これにより、閉極側ループ回路スイッチ素子６の開放故障時と通常動作時で検出される電圧Ｖに差が生じるため、閉極側ループ回路スイッチ素子６の開放故障の有無を判定することができ、閉極駆動用スイッチ素子５が閉路される前まで（時刻ｔ４までに）に、閉極側ループ回路スイッチ素子６の開放故障を検出することができる。
【００１７】
また、閉極駆動用スイッチ素子５が閉路中（時刻ｔ３からｔ４の間）に、閉極駆動用スイッチ素子５が短絡故障した場合には、閉極側ループ回路スイッチ素子６が開路され、保護用リレー７が開路されるまでの間（時刻ｔ５からｔ６の間）、閉極側電圧検出回路１３の電圧Ｖは、ほぼ零となる。閉極駆動用スイッチ素子５が短絡故障していない場合には、閉極側電圧検出回路１３の電圧Ｖは、閉極用コンデンサ４の電圧Ｖｃに近い値となる。すなわち、時刻ｔ５の時点で、閉極駆動用スイッチ素子５が短絡故障している場合には、閉極側電圧検出回路１３の電圧Ｖは、ほぼ零となる。これにより、閉極駆動用スイッチ素子５の短絡故障時と通常時で検出される電圧Ｖに差が生じるため、閉極駆動用スイッチ素子５が短絡故障していると判定することができる。さらに、閉極駆動用スイッチ素子５が短絡故障している場合には、保護用リレー７を閉路の状態にしておくことで、閉極駆動用コイル２に流れていた電流も零付近になり、閉極駆動用コイル２の駆動時の電流を遮断する能力を有していない保護用リレー７でも遮断することが可能となる。
【００１８】
続いて、開極動作の場合における動作について、図１に示す駆動回路及び図３に示す開極動作のタイムチャートを参照して説明する。開極動作では、最初に、時刻ｔ７で開極側ループ回路スイッチ素子１６が閉路され、さらに、時刻ｔ８で開極駆動用コイル３を駆動制御する開極駆動用スイッチ素子１５が閉路されることで、開極用コンデンサ１４から開極駆動用コイル３、ダイオード１８、開極駆動用スイッチ素子１５の経路で電流が流れる。この一連の動作により、開極動作が実行される。開極動作が完了した後、時刻ｔ９で開極駆動用スイッチ素子１５が開路されることで、開極駆動用コイル３に蓄積されたエネルギーは、ダイオード１８、ダイオード１９、電流減衰用抵抗２０ｂを通り、電流減衰用コンデンサ２０ａにエネルギーが蓄えられ、開極駆動用コイル３に蓄積されたエネルギーが電流減衰用コンデンサ２０ａに移行した後、時刻ｔ１０で開極側ループ回路スイッチ素子１６が開路される。これにより、電流減衰用コンデンサ２０ａに蓄えられたエネルギーは、放電抵抗２０ｃと電流減衰用抵抗２０ｂとで構成された開極側ループ回路２０によって放電され徐々に減衰する。これにより、閉極動作が完了する。
【００１９】
このように、実施の形態１に係る電磁操作機構の駆動回路によれば、閉極側過電圧抑制開路の閉極側ループ回路スイッチ素子の電圧を検出することで、閉極側ループ回路スイッチ素子及び閉極駆動用スイッチ素子の開閉状態を判定し、閉極側ループ回路スイッチ素子が開放故障している場合、あるいは、閉極駆動用スイッチ素子が短絡故障している場合に、閉極動作中には保護用リレーを閉路の状態とし、電流遮断をしないように制御することで、保護用リレーを大電流から保護し、安全に閉極動作を完了させることができるという
効果がある。
【００２０】
実施の形態２．
図４は、実施の形態２に係る電磁操作機構の駆動回路の構成を示す回路図である。図１に示す実施の形態１に係る電磁操作機構の駆動回路の構成を示す回路図との違いは、保護用リレー７とダイオード８との直列回路に対して、並列に抵抗１１を設けた点である。他の構成については、実施の形態１と同じであるので説明を省略する。
【００２１】
次に、実施の形態２に係る電磁操作機構の駆動回路の動作について、図４に示す駆動回路を参照して説明する。
閉極動作開始前の場合には、閉極用コンデンサ４から閉極駆動用コイル２、抵抗１１、ダイオード９、放電抵抗１０ｃ、閉極側電圧検出回路１３の経路で接続され、閉極側電圧検出回路１３で検出される電圧は、閉極駆動用コイル２、抵抗１１、ダイオード９、放電抵抗１０ｃによって決定される。ここで、閉極駆動用スイッチ素子５が短絡故障、あるいは閉極側ループ回路スイッチ素子６が短絡故障している場合には、閉極側電圧検出回路１３で検出される電圧は零となるため、閉極駆動用スイッチ素子５あるいは閉極側ループ回路スイッチ素子６の短絡故障の有無を判定することができ、閉極動作開始前に保護用リレー７を保護することができる。また、閉極駆動用スイッチ素子が開放故障、あるいは閉極側ループ回路スイッチ素子６が開放故障している場合には、閉極動作開始前において、閉極駆動用スイッチ素子５及び閉極側ループ回路スイッチ素子６をそれぞれ一定時間閉路させることにより、閉極側電圧検出回路１３の電圧が零とならず、閉極駆動用スイッチ素子５、あるいは閉極側ループ回路スイッチ素子６の開放故障の有無を判定することができ、閉極動作開始前に保護用リレー７を保護することができる。
【００２２】
このように、実施の形態２に係る電磁操作機構の駆動回路によれば、保護用リレーに対して並列に抵抗を設けることで、閉極動作開始前に、閉極駆動用スイッチ素子、あるいは閉極側ループ回路スイッチ素子の故障の有無を判定することで、保護用リレーを保護することができるという効果がある。
【００２３】
実施の形態３．
図５は、実施の形態３に係る電磁操作機構の駆動回路の構成を示す回路図である。図１に示す実施の形態１に係る電磁操作機構の駆動回路の構成を示す回路図との違いは、開極側ループ回路スイッチ素子１６及び開極駆動用スイッチ素子１５に、それぞれ開極側電圧検出回路２３と、開極駆動用スイッチ素子電圧検出回路２４を設けた点である。他の構成については、実施の形態１と同じであるので説明を省略する。
【００２４】
次に、実施の形態３に係る電磁操作機構の駆動回路の動作について、図５に示す駆動回路及び図３に示す開極動作のタイムチャートを参照して説明する。
なお、開極動作における通常動作については、実施の形態１で説明したので省略する。
【００２５】
ここで、開極側ループ回路スイッチ素子１６が閉路される前（時刻ｔ７以前）に、開極側ループ回路スイッチ素子１６が開放故障した場合には、開極側ループ回路スイッチ素子１６が閉路され、開極駆動用スイッチ素子１５が閉路されるまでの間（時刻ｔ７からｔ８の間）、開極側電圧検出回路２３で検出される電圧Ｖは、開極側ループ回路スイッチ素子１６が開放故障しているため開極用コンデンサ１４の電圧Ｖｏと同じとなり変化は生じない。しかし、開極側ループ回路スイッチ素子１６が開放故障していない場合には、開極側ループ回路スイッチ素子１６が閉路されることにより開極側電圧検出回路２３で検出される電圧Ｖは、ほぼ零となる。すなわち、時刻ｔ８の時点で、開極側ループ回路スイッチ素子１６が開放故障している場合には、開極側電圧検出回路２３の電圧Ｖは、零とならずに開極用コンデンサ１４の電圧Ｖｏと同じとなる。これにより、開極側ループ回路スイッチ素子１６の開放故障時と通常動作時で検出される電圧Ｖに差が生じるため、開極側ループ回路スイッチ素子１６の開放故障の有無を判定することができ、開極駆動用スイッチ素子１５が閉路となる前まで（時刻ｔ９までに）に、開極側ループ回路スイッチ素子１６の開放故障を検出することができる。
【００２６】
また、開極側ループ回路スイッチ素子１６が閉路中（時刻ｔ７からｔ１０の間）に、開極側ループ回路スイッチ素子１６が短絡故障している場合には、開極側ループ回路スイッチ素子１６が開路されても（時刻ｔ１０以降）、開極側電圧検出回路２３の電圧Ｖは、ほぼ零となるため、開極側ループ回路スイッチ素子１６が短絡故障していると判定することができる。
【００２７】
また、開極駆動用スイッチ素子１５が閉路される前（時刻ｔ８以前）に、開極駆動用スイッチ素子１５が開放故障した場合には、開極駆動用スイッチ素子１５が閉路中（時刻ｔ８からｔ９の間）は、開極駆動用スイッチ素子電圧検出回路２４の電圧Ｖは、零とならないため、開極駆動用スイッチ素子１５が開放故障していると判定することができる。
【００２８】
また、開極駆動用スイッチ素子１５が閉路中（時刻ｔ８からｔ９の間）に、開極駆動用スイッチ素子１５が短絡故障した場合には、開極駆動用スイッチ素子１５が開路されても（時刻ｔ９以降）、開極駆動用スイッチ素子電圧検出回路２４の電圧Ｖは、ほぼ零となる。これにより、開極駆動用スイッチ素子１５が短絡故障していると判定することができる。
【００２９】
このように、実施の形態３に係る電磁操作機構の駆動回路によれば、開極側ループ回路スイッチ素子及び開極駆動用スイッチ素子のそれぞれに、開極側電圧検出回路と開極駆動用スイッチ素子電圧検出回路とを設け、電圧を検出することで、開極動作時に、開極駆動用スイッチ素子あるいは開極側ループ回路スイッチ素子の故障を判定することができるという効果がある。また、閉極動作時においては、実施の形態１と同様の効果を得ることができるという効果がある。
【００３０】
また、本発明は、その発明の範囲内において、各実施の形態を自由に組み合わせたり、各実施の形態を適宜、変形、省略したりすることが可能である。
【００３１】
また、図中、同一符号は、同一または相当部分を示す。
【符号の説明】
【００３２】
１  可動鉄心、２  閉極駆動用コイル、３  開極駆動用コイル、４  閉極用コンデンサ、５  閉極駆動用スイッチ素子、６  閉極側ループ回路スイッチ素子、７  保護用リレー、８，９，１８，１９  ダイオード、１０  閉極側ループ回路、１０ａ  電流減衰用コンデンサ、１０ｂ  電流減衰用抵抗、１０ｃ  放電抵抗、１１  抵抗、１３  閉極側電圧検出回路、１４  開極用コンデンサ、１５  開極駆動用スイッチ素子、１６  開極側ループ回路スイッチ素子、２０  開極側ループ回路、２０ａ  電流減衰用コンデンサ、２０ｂ  電流減衰用抵抗、２０ｃ  放電抵抗、２３  開極側電圧検出回路、２４  開極駆動用スイッチ素子電圧検出回路
【図１】
2016225101.tif 000003
【図２】
2016225101.tif 000004
【図３】
2016225101.tif 000005
【図４】
2016225101.tif 000006
【図５】
2016225101.tif 000007